(57)【要約】【課題】  室内手摺り柱脚固定手段に於いて、手摺り施設の方向や延長が自在で、室内において設置場所の変更、追加設置が簡単にできると共に、柱脚固定が確実であり耐久性、安全性に優れた手摺り柱脚固定具を提供する。【解決手段】  室内の手摺り施設を必要とする場所へ柱脚（５）（１８）をネジ作用により立設固定し、手摺り棒接続部材（８）を介し手摺り棒（９）（１０）（１１）を設置することを特徴とする柱脚固定具。【選択図】  図２０
2007120275.tif 000002
【特許請求の範囲】
【請求項１】
断面四角形状でなる柱脚固定具の長辺方向上面に、二層構造に形成された接続穴を複数個設け、該接続穴下層部には雌ネジ加工を施し、上層部は蓋受け台とし、該接続穴を介し柱脚１をネジ作用により立設固定し、該柱脚１上端から略水平方向に延長される手摺り棒を、接続部材を用い接続する事を特徴とする床上用手摺り構造。
【請求項２】
平板形状でなる台座中央に貫通孔１を設け、該貫通孔１の底面に柱脚立設固定手段として、ナット状に形成され内側に雌ネジ加工を施した接続部材を装着し、台座と一体化させ該台座外周端部には台座固定手段として貫通孔２を複数個設けた柱脚固定具、該固定具を介し柱脚２をネジ作用により立設固定し、該柱脚２上端から略水平方向に延長される手摺り棒を、接続部材を介し接続する事を特徴とする床上用手摺り構造。
【発明の詳細な説明】
【技術分野】
【０００１】  この発明は、室内の床面、畳面に手摺りを施設するための手摺り柱脚固定具に関するものである。
【背景技術】
【０００２】  従来、老人、身体障害者、病中病後の療養者等の人達が室内を歩行するときは、第三者の手をかりるか歩行器や杖を使用するか、又は室内の壁に取り付けられた手摺りや壁、柱、家具等に捕まり歩行していた。上記歩行手段以外にも玄関、浴室、トイレ、等設置場所が限られた空間に据え付け式の手摺りを設置したり、埋め込み式の手摺りを壁に埋め込み使用する方法等が提案されている。又、この他の提案として、コンクリート床にアンカーを打ち込んで土台を固定した上で手摺り柱脚を固定したものも知られている（下記特許文献１参照）。
或いは、鉄骨構造の建築物に手摺り設置のための柱脚固定手段として、ベースプレートを用い、該プレートに貫通孔を設け、プレートの固定と柱脚固定を同時に行う技術も提案されている（下記特許文献２参照）。
更に、室内畳上に手摺りを設置する提案として、畳上に平板状の固定手段を用い、該固定手段に先端が鋭角なパイプ状の部材と、該パイプ状部材内を挿通可能な木ねじを畳下祖床に螺着し、その上部に柱脚を立設した上で、水平方向に手摺り棒を施設する技術（下記特許文献３参照）。
或いは、円盤状の固定手段を畳上に設置し、該固定手段中央から柱脚を立設させ、水平方向に延長された手摺り棒を支持すると共に、固定手段に上下に延びる孔を複数形成し、かかる孔に木ねじやピンを挿通して、畳内部の藁に対して固定する技術、等が見られる（下記特許文献４参照）。【０００３】
【特許文献１】  特開平  ４−７４５１
【特許文献２】  実開平  ５−１０７８
【特許文献３】  特開    ２００２−１８０５６９３
【特許文献４】  特開    ２００１−３４９０３１
【発明の開示】
【発明が解決しようとする課題】
【０００４】  しかしながら上記歩行手段や据え付け式の手摺り、及び特許文献の技術には次のような欠点が見られる。
・従来の歩行手段の欠点として、
（イ）歩行に関し第三者の手を借りたくても常に介護者が身近に居る分けでもなく、自らの歩行により室内を移動しても、もたれる物や捕まる物が無ければ不安を感じる。
（ロ）室内の壁に設置された手摺りや家具、柱等は設置場所、配置場所が限られていて、自らの目的とする場所へ移動するには困難を要す。又、室内で杖を使用するには抵抗を感じる人もいる。更に歩行器による歩行は、歩行器車輪がつまずき、転倒の可能性が高い。
（ハ）特に老人は床面やソファーからの立ち上がりに困難を要す。
・据え付け式手摺りの欠点として、
（ニ）設置場所が玄関、浴室、トイレ等に限られ、広い室内や複数の室内で幅広く使用するには不向きである。
・特許文献１の技術にあっては、
（ホ）コンクリート床に埋込む技術であって、一般住宅の床面、畳面に柱脚を立設し、手摺りを施設するには、該提案の方法は当てはまらない。
・特許文献２の技術にあっては、
（ヘ）鉄骨構造の建築物の屋外手摺りの柱脚に適し、一般住宅の室内床面、畳面の手摺り柱脚固定手段としてはには不向きである。
・特許文献３の技術にあっては、
（ト）平板状の固定手段が畳面上に剥き出しになり、つまずきや転倒の原因となる他、柱脚固定手段として、パイプ状の部材を畳面に挿通する事により畳を傷つける。更に手摺り設置個所を変更、追加しようとしても、その対応がなく、経済的にも無駄が生じる。
・特許文献４の技術にあっては、
（チ）柱脚固定手段が畳内部の藁等の軟弱な部材であるため、強固な固定手段とならず、安全性、確実性においても不向きである。
本発明はこれらの欠点を解決するために発明されたものである。
【課題を解決するための手段】
【０００５】  断面四角形状でなる手摺り柱脚固定具の上面に、柱脚接続手段として二層構造でなる接続穴を複数個設け、該接続穴下層部には雌ネジ加工を施し、上層部は蓋受け台とした構造でなる柱脚固定具１。（請求項１記載）
又、平板状の台座中央に貫通孔を設け、その底面には柱脚固定手段として、内側に雌ネジ加工を施したナット状の接続部材を装着し、台座と一体化させ、台座外周端部には台座固定手段として、貫通孔を複数個形成した柱脚固定具２。（請求項２記載）以上を特徴とする床上用手摺り構造。
【発明の効果】
【０００６】  本発明の手摺り柱脚固定具は、床面室内、畳面室内においても、手摺り施設を容易にし、施設箇所は所望の位置に確実に施設され、強度、安全性にも信頼がおける。
柱脚固定具１、柱脚固定具２は家屋の耐久と同程度の耐久性を有し、必要に応じ手摺り施設箇所の変更や追加施設も容易にできるため、状況に合わせ手摺り施設の対応が可能である。又、老人の苦手とする床面やソファーからの立ち上がりもその動作は楽になる。
【発明を実施するための最良の形態】
【０００７】  以下、本発明の実施の形態について説明する。（請求項１記載）
（イ）・断面四角形状でなる柱脚固定具１（１）の上面に柱脚立設手段として、二層構造でなる接続穴（２）を複数個設ける。
該接続穴上層部は蓋受け台（４）とし、下層部は柱脚接続手段として雌ネジ加工を施す（７）。
（ロ）・前記、柱脚固定具１（１）の長辺方向の寸法は継ぎ足す事により、室内寸法に適合がなされ、蓋厚は柱脚固定具１の上面と均一にし、該柱脚固定具１の上面の高さは周辺床面（２２）と均一にする。
（ニ）・該柱脚固定具１（１）の配置固定は一般的に床下構造構成材でなる、梁（２３）上に設置する。【０００８】  本発明は以上のような構成でなりこれを使用するときは、手摺り施設箇所の蓋（３）を外し、接続穴（２）に加工された雌ネジ（７）と、柱脚１（５）の下端部に加工された雄ネジ１（６）とをネジ作用により接続し柱脚１（５）を立設固定する。柱脚１（５）は床面室内に手摺りを設置するための柱脚固定具１（１）に接続するものである。
必要本数を立設固定後、手摺り接続部材（８）を用い柱脚の間隔に適合する長さの手摺り棒１（９）、手摺り棒２（１０）、手摺り棒３（１１）、を取り付ける。【０００９】  次に畳部屋に使用する柱脚固定具２（１９）の実施の形態について説明する。（請求項２記載）
（イ）・台座（１２）中央部に柱脚２（１８）の下端部が挿通可能な貫通孔１（１３）を設け、外周端部には、該台座をネジ、ピン等により床下材（２０）に螺着するための貫通孔２（１４）を複数個形成する。
（ロ）・台座中央部底面には柱脚立設手段として、内側に雌ネジ加工（１６）が施されたナット状接続部材（１７）を装着し台座（１２）と一体化した柱脚固定具２。
（ニ）・該柱脚固定具は床下材（２０）に配置固定する。その手段として、該柱脚固定具正面視、台座中央部底面にナット状接続部材（１７）が突出しているため（図１４参照）、該固定具を安定固定させるため、床下材（２０）とナット状接続部材（１７）の接触部にナット外径以上の穴をドリル等で開口した上で螺着する。【００１０】  本発明は以上のような構成でなりこれを使用するときは、手摺り施設箇所の畳（２１）コーナージョイント部、或いは接合部を押し開き、台座中央部の貫通孔１（１３）を確認し、該貫通孔１の底面に装着されたナット状接続部材（１７）の雌ネジ２（１６）と、柱脚２（１８）の下端部に加工された雄ネジ２（１５）とをネジ作用により接続し柱脚２（１８）を立設固定する。
柱脚２（１８）は畳部屋に手摺りを設置するための柱脚固定具２（１９）に接続するものである。
必要本数を立設固定後、手摺り接続部材（８）を用い柱脚の間隔の長さに適合する手摺り棒１（９）、手摺り棒２（１０）、手摺り棒３（１１）、を取り付ける。
以上、床上用手摺り構造、柱脚固定具１、柱脚固定具２の実施の形態である。【００１１】  本発明の床上用手摺り構造において、手摺り施設の設置場所や方向、追加設置等の変更が生じた時、柱脚固定具１（１）、柱脚固定具２（１９）は、予め該固定具が室内に配置（図１１・図１２・図１７参照）されているため状況に合わせ、手摺り施設の追加、変更は安易に可能となる。
手摺り棒の長さは、予め縦方向、横方向、斜方向に適合する長さに加工されたものとし、柱脚固定具１の材質は木材、柱脚固定具２の材質は金属とし、柱脚、手摺り棒の材質は金属、木材、化学製品、共に可能であり、形状は円柱、多角柱共に可能とし、更にナット状接続部材の形状も円柱、多角柱共に可能である。
【図面の簡単な説明】
【００１２】
【図１】  柱脚固定具１  平面図
【図２】  柱脚固定具１  Ａ−Ａ断面図
【図３】  柱脚固定具１  Ｂ−Ｂ断面拡大図
【図４】  柱脚１
【図５】  柱脚固定具１と柱脚１の接続状況を示す断面図
【図６】  手摺り棒１、手摺り棒２、手摺り棒３
【図７】  手摺り棒接続部材  平面図
【図８】  手摺り棒接続部材  Ｄ−Ｄ断面図
【図９】  手摺り棒接続部材  側面図
【図１０】  手摺り棒接続部材  底面図
【図１１】  本発明の柱脚固定具１の配置状況及び使用状況を示す想定平面図
【図１２】  本発明の柱脚固定具１の使用状況を示す断面図
【図１３】  柱脚固定具２  底面図
【図１４】  柱脚固定具２  Ｃ−Ｃ断面図
【図１５】  柱脚２
【図１６】  本発明の柱脚固定具２の接続状況を示す断面図
【図１７】  本発明の柱脚固定具２を畳下床材に配置固定した状態を示す平面図
【図１８】  本発明の柱脚固定具２の使用状況を示す想定平面図
【図１９】  本発明の柱脚固定具２の使用状況を示す断面図
【図２０】  本発明の柱脚固定具１、柱脚固定具２の使用状況を示す部分拡大図
【符号の説明】
【００１３】（１）        柱脚固定具  １
（２）        接続穴
（３）        蓋
（４）        蓋受け台
（５）        柱脚  １
（６）        雄ネジ  １
（７）        雌ネジ  １
（８）        手摺り接続部材
（９）        手摺り棒  １
（１０）      手摺り棒  ２
（１１）      手摺り棒  ３
（１２）      台座
（１３）      貫通孔  １
（１４）      貫通孔  ２
（１５）      雄ネジ  ２
（１６）      雌ネジ  ２
（１７）      ナット状接続部材
（１８）      柱脚  ２
（１９）      柱脚固定具  ２
（２０）      床下材
（２１）      畳
（２２）      床面
（２３）      梁
【図１】
2007120275.tif 000003
【図２】
2007120275.tif 000004
【図３】
2007120275.tif 000005
【図４】
2007120275.tif 000006
【図５】
2007120275.tif 000007
【図６】
2007120275.tif 000008
【図７】
2007120275.tif 000009
【図８】
2007120275.tif 000010
【図９】
2007120275.tif 000011
【図１０】
2007120275.tif 000012
【図１１】
2007120275.tif 000013
【図１２】
2007120275.tif 000014
【図１３】
2007120275.tif 000015
【図１４】
2007120275.tif 000016
【図１５】
2007120275.tif 000017
【図１６】
2007120275.tif 000018
【図１７】
2007120275.tif 000019
【図１８】
2007120275.tif 000020
【図１９】
2007120275.tif 000021
【図２０】
2007120275.tif 000022